(57)【要約】【課題】カメラ付玄関子機とモニタテレビユニットを有するテレビドアホン装置において、接続されたカメラ付玄関子機の違いや設置条件の違いによる呼出の誤検出をなくす。【解決手段】カメラ付玄関子機１１は、テレビモニタユニット１に呼び出しをかける呼出ボタン１２と、モニタテレビユニット１からの給電により画像を撮影するカメラ１５とを備え、モニタテレビユニット１は、カメラ付玄関子機１１に待機中の給電を行う給電部１０と、呼出ボタン１２を押下した場合に信号線１８の電圧降下を検出する電圧降下検出部５と、電圧降下検出部５により電圧降下が検出された場合にカメラ１５に電力を供給するカメラ給電部２とを備える。【選択図】図１
2007158576.tif 000002
【特許請求の範囲】
【請求項１】
カメラ付玄関子機とモニタテレビユニットが信号線で接続されたテレビドアホン装置において、
前記カメラ付玄関子機は、
前記テレビモニタユニットに呼び出しをかける呼出ボタンと、
前記モニタテレビユニットからの給電により画像を撮影するカメラとを備え、
前記モニタテレビユニットは、
前記カメラ付玄関子機に待機中の給電を行う給電部と、
前記呼出ボタンを押下した場合に前記信号線の電圧降下を検出する電圧降下検出部と、
前記電圧降下検出部により電圧降下が検出された場合に前記カメラに電力を供給するカメラ給電部とを備え、
前記給電部は、
前記待機中の給電を行う待機電圧電源と、
前記給電の電流値制御を行う定電流制御部とで構成され、
前記定電流制御部内の電流制御値を前記カメラ付玄関子機の待機中の前記信号線からの引き込み電流値と前記呼出ボタンを押下した場合に前記信号線の電圧降下が発生したときの引き込み電流値の間に設定する、
ことを特徴とするテレビドアホン装置。
【請求項２】
前記カメラ付玄関子機は、
前記呼出ボタンが押下された場合に前記信号線の電圧降下を発生させる電圧降下発生部と、
前記カメラが撮影した映像を映像信号に変調する映像信号変調部とをさらに備える、
ことを特徴とする請求項１記載のテレビドアホン装置。
【請求項３】
前記モニタテレビユニットは、
前記映像信号変調部からの信号を復調する映像信号復調部と、
前記映像信号復調部が復調した画像信号を表示する表示部と、
前記電圧降下検出部が電圧降下を検出した場合に呼び出し音を生成する呼出音発生部と、
前記呼出音を再生するスピーカとをさらに備える、
ことを特徴とする請求項１記載のテレビドアホン装置。
【請求項４】
複数のカメラ付玄関子機がそれぞれ別の信号線でモニタテレビユニットに接続されたテレビドアホン装置において、
前記カメラ付玄関子機は、
前記テレビモニタユニットに呼び出しをかける呼出ボタンと、
前記モニタテレビユニットからの給電により画像を撮影するカメラとを備え、
前記モニタテレビユニットは、
前記複数のカメラ付玄関子機それぞれに待機中の給電を行う複数の給電部と、
前記呼出ボタンを押下した場合に前記信号線の電圧降下を検出する電圧降下検出部と、
前記電圧降下検出部により電圧降下が検出された場合に呼出ボタンが押下されたカメラに電力を供給するカメラ給電部とを備え、
前記給電部は、
前記カメラ付玄関子機に対して待機中の給電を行う待機電圧電源と、
前記給電の電流値制御を行う定電流制御部とで構成され、
前記定電流制御部は、定電流制御値を前記カメラ付玄関子機の待機中の前記信号線からの引き込み電流値と前記呼出ボタンを押下した場合に前記信号線の電圧降下が発生したときの引き込み電流値の間に設定する、
ことを特徴とするテレビドアホン装置。
【発明の詳細な説明】
【技術分野】
【０００１】
本発明は、戸建住宅やアパート、マンション等に使用されるテレビドアホン装置に関するものである。
【背景技術】
【０００２】
図３及び図４は、従来のテレビドアホン装置の構成を示している。
【０００３】
図３において、呼出ボタン２８の押下により電圧降下検出部２１が信号線３４の電圧降下を検出し、これに応答してカメラ給電部２０がカメラ付玄関子機２７に給電したことをカメラ給電検出部３１が検出すると認識信号送出部３０が動作して、方形波送出部２９が呼出ボタンの押下を認識した時の認識信号をモニタテレビユニット１９に送出し、この認識信号を認識信号検出部２２で検出した時に呼出音発生部２３、表示部２６を起動して呼出動作を開始させる（例えば、特許文献１参照）。
【０００４】
また、従来のテレビドアホン装置は、図４にあるように、待機時のカメラ付玄関子機５２へ、抵抗３２、３６の分圧電圧を給電しており、カメラ付玄関子機５２の呼出ボタン４５を押した場合に、ライン電圧制御回路４４のライン電圧制御接点４６を閉じることにより、カメラ付玄関子機５２のインピーダンスを抵抗４７まで小さくする。その結果、信号線４８の電圧を抵抗３２、３６、４７で分圧された電圧まで降下させることで、カメラ付玄関子機からの呼出があったことをモニタテレビユニットに認識させるようにしている（例えば、特許文献２参照）。
【０００５】
例えば、待機時電圧及び呼出時電圧を次のように設定した場合、電源３４：５Ｖ、抵抗３２：４７０Ω、抵抗３６：開放、抵抗４７：１５０Ω、カメラ付玄関子機５２の待機時消費電流：０．１ｍＡ、待機時電圧は、５Ｖ−４７０Ω×０．１ｍＡ＝４．９５Ｖ、呼出時電圧は、５Ｖ×１５０Ω／（４７０Ω＋１５０Ω）＝１．２１Ｖとなり、３．７４Ｖの電圧降下が発生する。
【特許文献１】特開平１０−４４５９号公報
【特許文献２】特開昭６３−２９３３４７号公報
【発明の開示】
【発明が解決しようとする課題】
【０００６】
しかしながら、上記のような従来のテレビドアホン装置では、呼出ボタンが押下されたことにより信号線に電圧降下が発生したことをモニタテレビユニットの電圧降下検出部が判断できることを前提にしており、信号線に発生した漏れ電流や、カメラ付玄関子機の製造ばらつきや温度変動により待機時電圧は変動する。
【０００７】
また待機時引き込み電流の異なるカメラ付玄関子機を接続する場合（新旧モデルの共用など）におけるカメラ付玄関子機の引き込み電流の違いによっても待機時電圧は変動する。
【０００８】
カメラ付玄関子機の違いによる具体例として次のようなカメラ付玄関子機を接続すると、電源３４：5Ｖ、抵抗３２：４７０Ω、抵抗３６：開放、抵抗４７：１５０Ω、カメラ付玄関子機５２の待機時消費電流：３ｍＡの場合、待機時電圧は、５Ｖ−４７０Ω×３ｍＡ＝３．５９Ｖ、呼出時電圧は、５Ｖ×１５０Ω／（４７０Ω＋１５０Ω）＝１．２１Ｖとなり、２．３８Ｖの電圧降下が発生する。カメラの待機時電流が増えたことにより待機時電圧が下がるのを避けるために抵抗３２の抵抗値を下げた場合は、呼出時電圧が上昇し、結果として呼出時における電圧降下量は増えず、ライン電圧判別の為のマージンは小さくなったままである。
【０００９】
これらの待機時電圧の変動により待機時電圧の下限値と呼出時電圧の上限値の差が小さくなってしまう、その状態で外来ノイズが混入されると電圧降下検出部が電圧降下を検出できなかったり、電圧降下したままと誤認する場合がある。この場合は、常に誤認しつづけるため従来技術の方法では呼出を認識できなかったり、常に呼出状態にあり消費電力が増大するなどの課題を有していた。
【００１０】
本発明は、このような従来の課題を解決するものであり、待機時電圧と呼出時電圧の差を大きくすることで、外来ノイズの影響や引き込み電流の異なるカメラ付玄関子機を接続した場合にも誤動作のないテレビドアホン装置を提供することを目的とする。
【課題を解決するための手段】
【００１１】
前記従来の課題を解決するために、本発明のテレビドアホン装置は、カメラ付玄関子機とモニタテレビユニットが信号線で接続されたテレビドアホン装置において、前記カメラ付玄関子機は、前記テレビモニタユニットに呼び出しをかける呼出ボタンと、前記モニタテレビユニットからの給電により画像を撮影するカメラとを備え、前記モニタテレビユニットは、前記カメラ付玄関子機に待機中の給電を行う給電部と、前記呼出ボタンを押下した場合に前記信号線の電圧降下を検出する電圧降下検出部と、前記電圧降下検出部により電圧降下が検出された場合に前記カメラに電力を供給するカメラ給電部とを備え、前記給電部は、前記待機中の給電を行う待機電圧電源と、前記給電の電流値制御を行う定電流制御部とで構成され、前記定電流制御部は、定電流制御値を前記カメラ付玄関子機の待機中の前記信号線からの引き込み電流値と前記呼出ボタンを押下した場合に前記信号線の電圧降下が発生したときの引き込み電流値の間に設定することを特徴とするものである。
【００１２】
さらにテレビドアホン装置において、前記カメラ付玄関子機は、前記呼出ボタンが押下された場合に前記信号線の電圧降下を発生させる電圧降下発生部と、前記カメラが撮影した映像を映像信号に変調する映像信号変調部とをさらに備えることを特徴とするものである。
【００１３】
さらにテレビドアホン装置において、前記モニタテレビユニットは、前記映像信号変調部からの信号を復調する映像信号復調部と、前記映像信号復調部が復調した画像信号を表示する表示部と、前記電圧降下検出部が電圧降下を検出した場合に呼び出し音を生成する呼出音発生部と、前記呼出音を再生するスピーカとをさらに備えることを特徴とするものである。
【００１４】
前記従来の課題を解決するために、本発明のテレビドアホン装置は、複数のカメラ付玄関子機がそれぞれ別の信号線でモニタテレビユニットが接続されたテレビドアホン装置において、前記カメラ付玄関子機は、前記テレビモニタユニットに呼び出しをかける呼出ボタンと、前記モニタテレビユニットからの給電により画像を撮影するカメラとを備え、前記モニタテレビユニットは、前記複数のカメラ付玄関子機それぞれに待機中の給電を行う複数の給電部と、前記呼出ボタンを押下した場合に前記信号線の電圧降下を検出する電圧降下検出部と、前記電圧降下検出部により電圧降下が検出された場合に呼出ボタンが押下されたカメラに電力を供給するカメラ給電部とを備え、前記給電部は、前記カメラ付玄関子機に対して待機中の給電を行う待機電圧電源と、前記給電の電流値制御を行う定電流制御部とで構成され、前記定電流制御部は、定電流制御値を前記カメラ付玄関子機の待機中の前記信号線からの引き込み電流値と前記呼出ボタンを押下した場合に前記信号線の電圧降下が発生したときの引き込み電流値の間に設定することを特徴としたものである。
【発明の効果】
【００１５】
以上のように、請求項１に記載の発明によれば、待機中及び呼出時に漏れ電流やカメラ付玄関子機のばらつきによる誤動作を起こすことがなく、カメラ付玄関子機からモニタテレビユニットの呼出動作を確実に行うことができる。
【発明を実施するための最良の形態】
【００１６】
以下に本発明のテレビドアホン装置の実施の形態を図面とともに詳細に説明する。
【実施例１】
【００１７】
図１は、本発明の実施例１におけるテレビドアホン装置のブロック図を示している。
【００１８】
図１において、テレビドアホン装置は、カメラ付玄関子機１１及びこのカメラ付玄関子機１１に信号線１８を介して接続されたモニタテレビユニット１を備える。
【００１９】
カメラ付玄関子機１１は、モニタテレビユニット１に呼出をかける時に押下する呼出ボタン１２と、この呼出ボタン１２が押下された時に信号線１８から引き込む電流値を増大させて信号線１８に電圧降下を発生させる電圧降下発生部１３と、来訪者等を撮影するカメラ１５と、このカメラ１５からの映像信号を変調してモニタテレビユニット１へ送出する映像信号変調部１４を備える。また、前記電圧降下発生部１３は、接地抵抗１７とそれを接続線１８に接続するスイッチ１６から構成される。
【００２０】
モニタテレビユニット１は、カメラ付玄関子機１１に待機中の給電を行う給電部１０とカメラ付玄関子機１１の呼出ボタン１２を押下した時の信号線１８の電圧降下を検出する電圧降下検出部５と、この電圧降下検出部５から出力される検出信号に基づいてカメラ付玄関子機１１のカメラ１５に電力を供給するカメラ給電部２と、同時に電圧降下検出部５から出力される検出信号に基づいて呼出音信号を発生する呼出音発生部６と、カメラ付玄関子機１１から送られてくる映像変調信号を復調する映像信号復調部８と、映像信号復調部８で復調された映像信号により撮影映像を表示する表示部９と、呼出音発生部６から出力される呼出音信号により鳴動されるスピーカ７を備える。また、給電部１０は待機時電源の元となる待機電圧電源３と給電電流上限値を制限するための定電流制御部４から構成される。
【００２１】
次に、上記のように構成された本実施例の動作について説明する。
【００２２】
待機中は、カメラ付玄関子機１１に供給される待機時電流（例：０．１ｍＡ〜３ｍＡ）よりも、定電流制御部４にて制限する電流値（定電流制限電流値）を大きな値（例：５ｍＡ）に設定することで、待機中は、定電流制限電流値よりも待機時電流値が十分小さいため、定電流制御部４の等価インピーダンスは０Ωに近い値となり、定電流制御部４における電圧降下は発生しない。その結果、信号線１８の待機時電圧は、待機電圧電源３の電圧（例：５Ｖ）となる。
【００２３】
来訪者によりカメラ付玄関子機１２の呼出ボタン１２が押下されると、電圧降下発生部１３のスイッチ１６が閉じられて、接地抵抗１７（例：１５０Ω）が接続線１８に接続される。その結果カメラ付玄関子機１１のインピーダンスは接地抵抗１７まで小さくなり、信号線１８を介して供給される電流は増大する。増大された電流値は、定電流制御部４にて制限される。このとき、定電流制御部４は、定電流制御部４の等価インピーダンスを設定された制限電流値になるまで増大させることにより電流値を制限する。その結果、定電流制御部４における電圧降下は増大し、呼出中の信号線１８の電圧は電圧降下発生部１３によって下げられたカメラ付玄関子機１１のインピーダンス（例：１５０Ω）に定電流制御部４で制限された電流値（例：５ｍＡ）を乗じた電圧（例：０．７５Ｖ）となる。
【００２４】
このように信号線１８の電圧が降下（５Ｖ→０．７５Ｖ）したことにより、モニタテレビユニット１の電圧降下検出部５が信号線１８の電圧降下を検出すると、この検出信号に基づいてカメラ給電部２はカメラ付玄関子機１１に電力を供給し始める。これに伴い、動作状態に移行したカメラ付玄関子機１１はカメラ１５からの映像信号を映像信号変調部１４にて変調された映像変調信号を信号線１８に送出する。
【００２５】
一方、モニタテレビユニット１では、電圧降下検出部５からの検出信号に基づいて呼出音発生部６が動作し、この呼出音信号をスピーカ７に出力することによりスピーカ７を鳴動させて来訪者の訪れを報知する。これと同時に、表示部９が起動され、映像信号復調部８で復調された信号を表示部９に出力することにより、カメラ１５で撮像された映像を表示部９に表示する。
【００２６】
このように本実施例によれば、待機中の信号線１８の電圧は待機電圧電源３の値となり、呼出中の信号線１８の電圧は電圧降下発生部１３によって下げられたカメラ付玄関子機１１のインピーダンスに定電流制御部４で制限された電流値を乗じた電圧となり、定電流制御部４の等価インピーダンスが変化することにより信号線１８の電圧降下量を拡大させることが出来る。そのため、待機中に外来ノイズや漏れ電流の影響で呼出状態と誤認することがなくすことが可能となる。
【実施例２】
【００２７】
図２は、本発明の実施例２におけるテレビドアホン装置のブロック図を示している。
【００２８】
図２において、テレビドアホン装置は、カメラ付玄関子機Ａ６４とカメラ付玄関子機Ｂ６５及びこれらのカメラ付玄関子機に信号線６６、６７を介して接続されたモニタテレビユニット５３を備える。
【００２９】
カメラ付玄関子機Ａ及びＢは、実施例１で示したカメラ付玄関子機１１と同様の構成からなる。
【００３０】
モニタテレビユニット５３は、カメラ付玄関子機６４又は６５に待機中の給電を行う給電部５４又は５５とカメラ付玄関子機の呼出ボタンを押下した時の信号線の電圧降下を検出する電圧降下検出部５６又は５７と、この電圧降下検出部５６又は５７から出力される検出信号に基づいて電圧降下を検出した信号線を選択するカメラ選択スイッチ６１とカメラ選択スイッチ６１を介してカメラ付玄関子機６４又は６５に電力を供給するカメラ給電部５８と、同時に電圧降下検出部５６又は５７から出力される検出信号に基づいて呼出音信号を発生する呼出音発生部５９と、カメラ付玄関子機から送られてくる映像変調信号を復調する映像信号復調部６２と、映像信号復調部６２で復調された映像信号により撮影映像を表示する表示部６３と、呼出音発生部５９から出力される呼出音信号により鳴動されるスピーカ６０を備える。また、給電部５４は待機時電源の元となる待機電圧電源６８と給電電流上限値を制限するための定電流制御部６９から構成される。
【００３１】
次に、上記のように構成された本実施例の動作について説明する。
【００３２】
カメラ付玄関子機Ａ６４又はカメラ付玄関子機Ｂ６５からの呼出しによる信号線の電圧降下を各々の電圧降下検出部５６又は５７が検出すると、電圧降下を検出した電圧降下検出部からの検出信号により、カメラ選択スイッチ６１は電圧降下が発生した信号線を選択する。以後、選択されたカメラ付玄関子機にカメラ給電部から給電を開始し、同時にスピーカ６０を鳴動させ、カメラ付玄関子機からの映像信号を表示部６３に表示する。
【００３３】
これらのシステムにおいて、カメラ付玄関子機Ａ６４と待機電圧給電部５４の構成及び動作は実施例１のそれと同様であり、カメラ付玄関子機Ｂ６５と待機電圧給電部５５の構成及び動作は従来例（図４）のそれと同様とする。このとき、カメラ付玄関子機Ｂについては、モニタテレビユニット５３に合わせて設定された待機時電流値のカメラ付玄関子機を接続することとし、カメラ付玄関子機Ａについては、従来例１で述べたように待機時電流値の影響を受けない為、過去のモデルなどによる待機時電流値のカメラ付玄関子機を接続するようにすることで、接続されるカメラ付玄関子機を自由に選べ且つ安定した呼出し動作が可能になる。尚、本実施例は複数ある待機電圧給電部の一部を本発明の構成とした例であるが、複数ある待機電圧給電部全てを本発明にて構成することも当然可能である。
【００３４】
このように本実施例によれば、待機中の信号線６６あるいは信号線６７の電圧は待機電圧電源６８の値となり、呼出中の信号線６６あるいは信号線６７の電圧は電圧降下発生部１３によって下げられたカメラ付玄関子機１１のインピーダンスに定電流制御部４で制限された電流値を乗じた電圧となり、定電流制御部４の等価インピーダンスが変化することにより信号線６６あるいは信号線６７の電圧降下量を拡大させることが出来る。そのため、待機中に外来ノイズや漏れ電流の影響で呼出状態と誤認することがなく、また、複数種類のカメラ付玄関子機を接続された場合の待機時電流値の違いにより待機状態と呼び出し状態を接続されたカメラ付玄関子機の種類によって誤認することもなく、カメラ付玄関子機からのモニタテレビユニットの呼出が可能になる。
【産業上の利用可能性】
【００３５】
本発明にかかるテレビドアホン装置は、待機中に外来ノイズや漏れ電流の影響で呼出状態と誤認することがなく、また、複数種類のカメラ付玄関子機を接続された場合の待機時電流値の違いによる待機状態と呼出状態を誤認することもない信頼性の高いドアホン等として有用である。
【図面の簡単な説明】
【００３６】
【図１】本発明の実施例におけるテレビドアホン装置のブロック図
【図２】本発明の実施例におけるテレビドアホン装置のブロック図
【図３】従来例におけるテレビドアホン装置のブロック図
【図４】従来例におけるテレビドアホン装置のブロック図
【符号の説明】
【００３７】
１、１９  モニタテレビユニット
２、２０  カメラ給電部
３  待機電圧電源
４  定電流制御部
５、２１  電圧降下検出器
６、２３  呼出音発生部
７、２４  スピーカ
８、２５  映像信号復調部
９、２６  表示部
１０  待機電圧給電部
１１、２７  カメラ付玄関子機
１２、２８  呼出ボタン
１３  電圧降下発生部
１４、３２  映像信号変調部
１５、３３  カメラ
１６  スイッチ
１７  接地抵抗
１８、３４、６６、６７  信号線
２２  認識信号検出部
２９  方形波送出部
３０  認識信号送出部
３１  カメラ給電検出部
３２、３６  抵抗
３３  電圧供給接点
３４  電源
３５  定電流回路
３７  接点駆動回路
３８  第１のライン電圧判別回路
３９  呼出信号発生回路
４０  スピーカー
４１  電源分離回路
４２  制御接点
４３  第２のライン電圧判別回路
４４  ライン電圧制御回路
４５  呼出ボタン
４６  ライン電圧制御接点
４７  ライン電圧制御抵抗
４８  信号線
４９、５０  接続点
５１  インターホン親機
５２  インターホン子機
５３  モニタテレビユニット
５４、５５  待機電圧給電部
５６、５７  電圧降下検出器
５８  カメラ給電部
５９  呼出音発生部
６０  スピーカ
６１  カメラ選択スイッチ
６２  映像信号復調部
６３  表示部
６４、６５  カメラ付玄関子機
６６、６７  信号線
６８  待機電圧電源
６９  定電流制御部
【図１】
2007158576.tif 000003
【図２】
2007158576.tif 000004
【図３】
2007158576.tif 000005
【図４】
2007158576.tif 000006